(57)【特許請求の範囲】
【請求項１】
裏面に安全用遮断幕を収納して機械室用出入口の蓋を兼ねる乗降板をエスカレータトラスの縁金に開閉用連結金具を介して連結し、前記乗降板を機械室用出入口の蓋として開けたとき、前記安全用遮断幕を、表側面を表示しながら引き出し、その先端部を欄干の外側側板に連結することによって前記出入口周囲を遮断することを特徴とするエスカレータ。
【請求項２】
前記安全用遮断幕の前記表側面には、通行者への注意を促すための表示が設けられていることを特徴とする請求項１に記載のエスカレータ。
【請求項３】
前記開閉用連結金具は、ラチェット車と爪とによる回転機構を有して、前記乗降板（蓋）の開口時、前記乗降板を床に直立固定できる機構としたことを特徴とする請求項１に記載のエスカレータ。
【請求項４】
前記安全用遮断幕は、不燃材繊維による布で構成され、前記乗降板の裏面に折畳んで収納出来ることを特徴とする請求項１に記載のエスカレータ。
【請求項５】
前記安全用遮断幕は、先端部に吸盤が取り付けられ、前記安全用遮断幕を引出した際、欄干の側板に吸盤を介して連結されることを特徴とする請求項４に記載のエスカレータ。
【発明の詳細な説明】
【０００１】
【発明の属する技術分野】
本発明はエスカレータ或いは動く歩道などにおける保守点検時の乗降板部（機械室出入口）の安全用遮断幕に関する。
【０００２】
【従来の技術】
従来のエスカレータは、図１２に示したように、エスカレータ１の乗降板３は、その下方トラス内に在る機械室（Ｍ／Ｒ）の出入口２の蓋を兼ねており、エスカレータの保守点検時は、乗降板３を必要に応じて取り去って、機械室への出入口２を設けるようにしていた。
【０００３】
しかし、出入口の蓋である乗降板３を開けた状態は、建物の床そのものに大きな穴を開けたことになり、付近を通行する人には危険な状態を呈することとなった。このため保守点検作業員の安全と第三者の侵入を防止するため、この開口された出入口の周囲を囲って（遮断して）、安全を確保する必要がある。
【０００４】
従って従来は、図１２に示したように、安全用遮断板（表示板）４或いは遮断柵等を数台、現場に搬入し、作業員はこれらを開口された機械室出入口の周囲に立て、人の進入等を防ぎ、安全を確保して作業を行っていた。
【０００５】
【発明が解決しようとする課題】
上記のごとき従来の方法は、安全用遮断板等を現場へ搬入し、設置するのに手間が掛かったので、現場にて短時間に容易に設置することの出来る手段が要望された。
【０００６】
【課題を解決するための手段】
そこで、この発明は、エスカレータにおいて、裏面に安全用遮断幕を収納して機械室用出入口の蓋を兼ねる乗降板をエスカレータトラスの縁金に開閉用連結金具を介して連結し、前記乗降板を機械室用出入口の蓋として開けたとき、前記安全用遮断幕を、表側面を表示しながら引き出し、その先端部を欄干の外側側板に連結することによって前記出入口周囲を遮断することを特徴とする。
【０００７】
【発明の実施の形態】
以下、この発明によるエスカレータの一実施の形態を実施例図１〜図１１を参照して説明する。
【０００８】
先ず、図１ないし図３に示すように、乗降板３ａ、乗降板３ｂ及び乗降板３ｃは従来の乗降板と同じであが、これらのうちで、乗降路の最先端側に位置する乗降板３ａの裏面左右側に、それぞれ安全用折畳式遮断幕５、５が取付けられている。
【０００９】
安全用遮断幕５、５は次のように構成されている。すなわち、遮断幕５は、エスカレータ、エレベータ等で使用される不燃性の防火シート（シリカ繊維等）で細長い幕からなり、折畳んで収納できるように構成されている。表側面には、通行者への注意を促すため、図３に示すように油性蛍光塗料で「点検中」であること示す表示を行い、通行人等が不用意に近付き、足を踏み外すようなことがないように配慮した。また遮断幕５の先端部には、図３に示すように、欄干の外側板９（ガラスパネル部分）に固定できる吸盤８が取付けられている。
【００１０】
なお、安全用遮断幕５、５には、図５（ａ）（ｂ）及び図６に示したように、ロック１０を取付けて、折畳んだときロックして収納することができるように構成した。
【００１１】
また、乗降板３ａの裏面先端部とトラスとの間には、図２、図３、図９及び図１０に示すように、ラチェット式ロック機構を設けた連結金具６が予め取付けられている。すなわち、エスカレータ設置現場にて、乗降板３ａ、３ｂ、３ｃを設置するとき、連結金具６を乗降板３ａとトラスの縁金７との間にねじで締結し、乗降板３ａがトラスの縁金７に連結されて回転できるように構成した。
【００１２】
このように構成されたこの実施の形態のエスカレータは、次のようにして利用される。
【００１３】
先ず、図２に示すように、乗降板３ｂを取外し（乗降板が乗降板３ａと乗降板３ｃの２枚だけの場合はその必要はない）、乗降板３ａを連結金具６を支点にして約９０度回転して直立させる。そうすると連結金具６のラチェット式ロック機構は、直立の位置で固定できる。そして乗降板３ａ裏面の左右両側に取り付けられた折畳式の２枚の遮断幕５、５をそれぞれ引伸して、遮断幕５、５の先端部に設けた吸着板８を欄干の外側板９に吸着させて固定する。この結果、乗降板３ｂを取り外し、乗降板３ａを直立させたことによって設けられた出入口の三方が乗降板３ａ及びその遮断幕５、５により囲まれ、通行人等がその出入口に近付くのを防ぐことができ、作業員は保守点検作業を安心してできるようになる。
【００１４】
また、図３及び図４に示すように、乗降板３ａには遮断幕５と同じ材質からなる表面遮断幕１１を別途設け、上下端部にマグネット板１２を取付け、暖簾状にして乗降板３ｃの表側に取付けるよう構成した。なお、不使用時はマグネット１２により乗降板裏面に取付けて収納する。
【００１５】
なお、連結金具６のラチェット式ロック機構は既知のもので、図７〜図１０に示したように、乗降板３ｂを立てたとき、開き角度が約３０度ごとにラチェット車と爪とにより順次固定でき、直立（約９０度）を越えて開き、さらに約１２０度に達したときに爪が外れ、元の位置（０度）に戻すことによって開口部を覆えるように構成されたものである。
【００１６】
この実施の形態では、連結金具６を上記のようにラチェット機構を採用し、乗降板３ａを直立させた状態で固定するように構成したが、例えば図１１に示すように、トラス側に、支え棒１３の一端をピン１４で支え、回転できるように取付け、乗降板３ａを開けて直立させた時、この支え棒１３の他端を乗降板３ａの裏面の受け輪１５に嵌め込み、乗降板３ａを固定するようにしても良い。
【００１７】
以上説明のように、この発明によれば、簡単な構成で、機械室出入口開口部の三方を乗降板及び遮断幕で囲み遮断するので、作業員による保守点検作業の効率向上が可能となる。
【００１８】
【発明の効果】
本発明により、機械室開口時の遮断幕設置が容易且つ短時間で出来、保守点検作業時間の減少にもなり、特にエスカレータ利用時の故障修復などの場合には、利用者に掛ける迷惑を最小限に出来る。
【図面の簡単な説明】
【図１】本発明によるエスカレータの一実施の形態を示す概略図
【図２】図１に示すエスカレータの部分詳細図
【図３】図２に示すエスカレータの動作説明図
【図４】図２に示すエスカレータの動作説明図
【図５】図３に示す遮断幕の構成図
【図６】図５に示す遮断幕の動作説明図
【図７】図２に示すエスカレータの動作説明図
【図８】図２に示すエスカレータの動作説明図
【図９】図８に示す乗降板の直立時の側面図
【図１０】図８に示す乗降板の部分詳細図
【図１１】本発明によるエスカレータの乗降板直立固定の他の構成例を示す斜視図
【図１２】従来のエスカレータにおける安全用表示板設置を示す斜視図
【符号の説明】
１  エスカレータ
２  機械室出入口
３ａ，３ｂ，３ｃ  乗降板
４  遮断板
５  安全用遮断幕
６  連結金具
７  トラスの縁金
８  吸盤
９  欄干の側板
１０  遮断幕のロック
１１  乗降板の表面遮断幕
１２  マグネット
１３  支え棒
１４  ピン
１５  受け輪
【図１】
0003914318.tif 000002
【図２】
0003914318.tif 000003
【図３】
0003914318.tif 000004
【図４】
0003914318.tif 000005
【図５】
0003914318.tif 000006
【図６】
0003914318.tif 000007
【図７】
0003914318.tif 000008
【図８】
0003914318.tif 000009
【図９】
0003914318.tif 000010
【図１０】
0003914318.tif 000011
【図１１】
0003914318.tif 000012
【図１２】
0003914318.tif 000013